(57)【要約】【課題】読者の個性に合わせて適切な絵本が推薦可能な脳科学を用いた絵本レコメンドシステムを提供することを目的とする。【解決手段】脳科学を用いて分類された複数の項目に対して該当するか否かをタグ付けされた絵本を記録する手段と、利用者が入力したアンケートに基づいて前記項目ごとにその利用者がどの程度該当するかを表すポイントを算出する手段と、前記算出された利用者の前記項目ごとのポイントと、前記タグ付けされた絵本の前記項目ごとのタグを比較し、予め定めた条件に合致する絵本を推薦する手段とを有する。【選択図】図１
2019082810.tif 000002
【特許請求の範囲】
【請求項１】
脳科学を用いて分類された複数の項目に対して該当するか否かをタグ付けされた絵本を記録する手段と、
利用者が入力したアンケートに基づいて前記項目ごとにその利用者がどの程度該当するかを表すポイントを算出する手段と、
前記算出された利用者の前記項目ごとのポイントと、前記タグ付けされた絵本の前記項目ごとのタグを比較し、予め定めた条件に合致する絵本を推薦する手段とを有することを特徴とする脳科学を用いた絵本レコメンドシステム。
【請求項２】
前記予め定めた条件は、前記項目をポイント順に並べたとき、一定以上の順位の項目にタグがついている絵本を推薦するものであることを特徴とする請求項１に記載の脳科学を用いた絵本レコメンドシステム。
【請求項３】
前記項目ごとのポイントを表したチャートを記載した個性カルテを作成する手段を有することを特徴とする請求項１又は請求項２に記載の脳科学を用いた絵本レコメンドシステム。
【請求項４】
前記推薦した絵本を自動的に発注する手段を有することを特徴とする請求項１から請求項３のいずれか一項に記載の脳科学を用いた絵本レコメンドシステム。
【請求項５】
前記個性カルテを印刷用データに変換する手段を有することを特徴とする請求項３に記載の脳科学を用いた絵本レコメンドシステム。
【請求項６】
利用者が再度入力した情報に基づき、前記項目ごとのポイントを変更する手段を有することを特徴とする請求項１から請求項５のいずれか一項に記載の脳科学を用いた絵本レコメンドシステム。
【発明の詳細な説明】
【技術分野】
【０００１】
本発明は、脳科学を用いた絵本レコメンドシステムに関し、特に、脳科学に基づき適切な絵本を推薦可能な脳科学を用いた絵本レコメンドシステムに関する。
【背景技術】
【０００２】
例えば、子供向けの絵本に関して、定期的に決まった絵本を配送するサービスが存在する。この場合、サービス提供者が絵本を選定して、一律に決まった絵本を、定期的（例えば１月ごと）に配送する。このとき、絵本の選定には、売り上げ状況や、年齢等の画一的な発達段階に沿った内容の難易度から類推することは行われていた。
【０００３】
また、特許文献１には、要素とバリエーションの組合せをコンジョイント分析を用いて分析して最適な企画を提示する技術が記載されている。ここでは、コンジョイント分析手段において生成された直交表をアンケート調査票に展開する手段や、回答データをコンジョイント分析により分析し、要素とバリエーションの組合せに対する部分効用度を得点化する手段について記載されている。
【先行技術文献】
【特許文献】
【０００４】
【特許文献１】特許第５９７２２９８号公報
【発明の概要】
【発明が解決しようとする課題】
【０００５】
しかし、上述した絵本の配送であると、配送される絵本は一律に決まっているため、子供等の読者の個性（例えば、その子の好きな脳力、未発掘の脳力等）に応じて絵本を配送することができない。この場合、配送された絵本に対して子供が興味を示さず、読まれずに無駄になる可能性もある。また、読者である子供の個性に応じた発育という観点からも十分でない。
【０００６】
一方、特許文献１では、一般的な販売促進のためのクリエイションを最適化するシステムであって、脳科学に基づいて最適な絵本を推薦するための具体的な構成については開示されていない。
【０００７】
本発明は、上記課題に鑑みて、読者の個性に合わせて適切な絵本が推薦可能な脳科学を用いた絵本レコメンドシステムを提供することを目的とする。
【課題を解決するための手段】
【０００８】
上記目的を達成するため、代表的な本発明の脳科学を用いた絵本レコメンドシステムの一つは、脳科学を用いて分類された複数の項目に対して該当するか否かをタグ付けされた絵本を記録する手段と、利用者が入力したアンケートに基づいて前記項目ごとにその利用者がどの程度該当するかを表すポイントを算出する手段と、前記算出された利用者の前記項目ごとのポイントと、前記タグ付けされた絵本の前記項目ごとのタグを比較し、予め定めた条件に合致する絵本を推薦する手段とを有することを特徴とする。
【０００９】
さらに本発明の脳科学を用いた絵本レコメンドシステムの一つは、前記予め定めた条件は、前記項目をポイント順に並べたとき、一定以上の順位の項目にタグがついている絵本を推薦するものであることを特徴とする。
さらに本発明の脳科学を用いた絵本レコメンドシステムの一つは、前記項目ごとのポイントを表したチャートを記載した個性カルテを作成する手段を有することを特徴とする。
さらに本発明の脳科学を用いた絵本レコメンドシステムの一つは、前記推薦した絵本を自動的に発注する手段を有することを特徴とする。
さらに本発明の脳科学を用いた絵本レコメンドシステムの一つは、前記個性カルテを印刷用データに変換する手段を有することを特徴とする。
さらに本発明の脳科学を用いた絵本レコメンドシステムの一つは、利用者が再度入力した情報に基づき、前記項目ごとのポイントを変更する手段を有することを特徴とする。
【発明の効果】
【００１０】
本発明によれば、脳科学を用いた絵本レコメンドシステムにおいて、読者の個性に合わせて適切な絵本を推薦することができる。
上記した以外の課題、構成及び効果は、以下の実施形態の説明により明らかにされる。
【図面の簡単な説明】
【００１１】
【図１】本発明の脳科学を用いた絵本レコメンドシステムのフローチャートの一例を示す。
【図２】本発明の脳科学を用いた絵本レコメンドシステムにおける分類項目の一例を示す図である。
【図３】本発明の脳科学を用いた絵本レコメンドシステムを用いた事業フローの一例を示す図である。
【図４】本発明の脳科学を用いた絵本レコメンドシステムによる個性カルテの一例を示す図である。
【図５】図４の個性カルテにおけるポイント表の拡大図である。
【図６】本発明の脳科学を用いた絵本レコメンドシステムによるサービスの利用が想定される対象者の例について示した図である。
【図７】本発明の脳科学を用いた絵本レコメンドシステムによるモニター調査結果の一例を示した第１の図である。
【図８】本発明の脳科学を用いた絵本レコメンドシステムによるモニター調査結果の一例を示した第２の図である。
【発明を実施するための形態】
【００１２】
本発明を実施するための形態を説明する。
【００１３】
図１は、本発明の脳科学を用いた絵本レコメンドシステムのフローチャートの一例を示す。図１では、脳科学を用いた絵本レコメンドシステムを用いたサービス全体の構成を示している。
【００１４】
ここで、利用者１は、実際に絵本を読む子供や子供に読み聞かせを行う子供の親等の利用者である。絵本レコメンドシステム２は、本発明の脳科学を用いた絵本レコメンドシステムの一実施形態を示している。取次会社・出版社３は、絵本等の書籍の在庫を管理して販売する会社である。印刷工場４は、絵本や当該サービスに関する説明の小冊子等を印刷する工場である。事務局５は、本発明の脳科学を用いた絵本レコメンドシステムを用いたサービスにおける事務局である。
【００１５】
絵本レコメンドシステム２は、記録部１１、記録部１２、処理部１３を備えている。
【００１６】
記録部１１は、タグ付けされた書籍の情報や、書誌データ、在庫情報等、書籍に関する情報を記録している。また、記録部１２は、利用者１の個人情報や発送先の情報、アンケート等に基づくアセスメント情報等、利用者１に関する情報を記録している。ここで、記録部１１、記録部１２は、例えば、ＨＤＤ（Ｈａｒｄ  Ｄｉｓｋ  Ｄｒｉｖｅ）等の各種記録媒体を適用できる。記録部１１、記録部１２は、一体として、同一の記録媒体に記録してもよいし、別体の構成でもよい。
【００１７】
処理部１３は、脳科学を用いた絵本レコメンドシステムを実行するための処理を行う。また、処理部１３は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等、絵本レコメンドシステム２の処理を行うために必要なデバイスにより構成される。なお、処理部１３はサーバやＰＣ等のコンピュータに備えていてもよく、記録部１１や記録部１２と一体の構成としてもよい。
【００１８】
また、取次会社・出版社３は、記録部２１を備えている。記録部２１は、書誌データ、在庫情報等、取次会社・出版社３が扱う書籍の情報が記録されている。記録部２１は、例えば、ＨＤＤ等の各種記録媒体を適用でき、記録部２１から絵本レコメンドシステム２の記録部１１へ情報の提供ができる。また、取次会社・出版社３は、必要に応じて、在庫管理、発送、納品管理等のための処理部を備えている。
【００１９】
以下、システムのフローチャートの内容について説明する。
最初に、書籍へのタグ付けを行う（Ｓ１０１）。ここでは、事務局５のスタッフ等により、対象の絵本などの書籍に対して、タグ付けを行う。タグ付けは、脳科学を用いて分類された複数の項目、特に個性に関する項目に対して、その書籍が、それに該当するか否かを検討し、該当する場合にその項目に対してタグを付ける。項目の数は、例えば、３以上、さらには５以上、さらには８以上と増やしていくことで、細かい分類ができる。分類の具体例については後述する。タグ付けされた書籍の情報は、絵本レコメンドシステム２の記録部１１へ記録される。
【００２０】
次に、事務局５のスタッフにより、上記脳科学を用いて分類された複数の項目の説明等を記載したガイド冊子を編集して（Ｓ１０２）、印刷工場４で印刷して、取次会社・出版社３へ納品する（Ｓ１０３）。
【００２１】
取次会社・出版社３では、扱う書籍が管理されており、書籍の書誌データやその在庫情報が記録部２１に記録されている。ここでの内容は、絵本レコメンドシステム２の記録部１１へ送られる（Ｓ１０４）。
【００２２】
絵本レコメンドシステム２の記録部１１では、タグ付けされた書籍の情報、書籍の書誌データ、書籍の在庫情報が記録されている（Ｓ１０５）。ここで、タグ付けされた書籍の情報は、Ｓ１０１で記録された情報である。また、書籍の書誌データ、書籍の在庫情報は、取次会社・出版社３の記録部２１から取得するものであり、特に、タグ付けされた書籍に関する書籍の情報が記録される。
【００２３】
利用者１は、絵本レコメンドシステム２に対して、会員登録とアセスメントの実施を行う（Ｓ１０６）。ここでは、インターネット等を介してウェブサイト等から絵本レコメンドシステム２にアクセスして、会員登録とアセスメントの実施を行う。会員登録により、利用者１の個人情報が入力され、発送先の情報等が登録される。また、アセスメントの実施は、実際に、絵本を読む子供やその親に関するアンケートを行うことで実施される。アンケートは、親に対して複数項目、子供に対して複数項目のアセスメント質問項目であり、絵本レコメンドシステム２は利用者１の入力により回答を受ける。アンケートは、ウェブサイト等を通じて入力した情報を自動的に受けることができる。
【００２４】
そして、絵本レコメンドシステム２の処理部１３は、回答を受けたアンケート結果に基づき、Ｓ１０１のタグ付けで分類される各項目に対してどの程度のポイントを有するか解析・評価し、その子供の個性チャートを自動作成する。ここで、ポイントはその項目に利用者がどの程度該当するのかを表し、ポイントが高いほど、その項目の脳力が高いこと（合致度が高いこと）を示す。この評価により、子供の個性に合った、子育てアドバイスや年間の推薦絵本を自動的に選定することができる。また、これらの結果を利用者１に表示させてもよい。ポイントは、例えば、最高値を決めて各項目を０〜最高値の間の整数で表すことができる。最高値５０なら、０〜５０の整数で表される。
【００２５】
さらに、利用者１は、必要に応じてカスタマイズを行い（Ｓ１０７）、当該サービスを申し込む場合は決済を行う（Ｓ１０８）。このことで、絵本レコメンドシステム２を用いたサービスに申し込むことができる。
【００２６】
一方、絵本レコメンドシステム２の記録部１２は、利用者１の個人情報、発送先情報、アセスメント情報を記録する（Ｓ１０９）。これは、Ｓ１０６〜Ｓ１０８で利用者１が入力した情報に基づいている。個人情報、発送先情報はＳ１０６の会員登録の時の情報により、アセスメント情報はＳ１０６のアセスメント実施時の情報により記録されている。
【００２７】
絵本レコメンドシステム２の処理部１３は、バッチプログラムの実行を行う（Ｓ１１０）。ここでの、バッチプログラムの実行は、定期的に行うものであり、例えば、一日に一回１８時に行う等である。そして、このプログラムの実行により、推薦書籍の選択、各卸への書籍発注、印刷用データの配置、各社への発注情報の送信等が行われる。
【００２８】
推薦書籍の選択は、Ｓ１０１でタグ付けされたタグの項目と、Ｓ１０６で実施されたアセスメントの結果を比較して、対象となる利用者１の個性に合わせた絵本を選択する。ここでの「個性」とは、その子の好きな脳力、未発掘の脳力等である。ここで、絵本の選択の例として、例えば、対象の子供のポイントが一定以上の高い項目にタグ付けされた絵本を選定することができる。また、すべての項目をポイント順に並べて、ポイントの高い方から一定範囲（例えば、２つ目、３つ目、４つ目等までの範囲）のいずれかの項目にタグ付けされた絵本を選定してもよい。また、ポイントの高い方から一定範囲のいずれかの項目のみにタグ付けされた絵本を選定してもよい。また、ポイントの高い方から一定範囲のいずれかの項目と、それ以外の範囲のいずれかの項目の両方にタグ付けされた絵本を選定してもよい。
【００２９】
各卸への書籍発注は、選択した書籍について、取次会社・出版社３に発注を行う。このとき、記録部１２に記録された、対象となる利用者１の発送先情報を取次会社・出版社３に送信する（Ｓ１１１）。
【００３０】
印刷用データの配置は、本に添付する印刷物などの印刷用データの配置である。ここでの印刷物の例として個性カルテが上げられる。個性カルテは、利用者１の個性により各項目のポイント、ポイントにより振り分けられる「より伸ばしたい個性」、「未発掘の伸ばしたい個性」の項目等の情報や、それに付随する育て方の情報等を加味する。また、今後、推薦して、配送される予定の絵本の情報も載せておく。このような印刷用データを決めて、取次会社・出版社３へ送る。
【００３１】
取次会社・出版社３では、絵本レコメンドシステム２から発注された絵本について、各納品物を受領する（Ｓ１１２）。この場合、記録部２１に記録された在庫情報に基づき発注された対象の絵本を受領すると共に、絵本レコメンドシステム２からの印刷用データに基づき、印刷物を印刷して受領する。
【００３２】
次に、取次会社・出版社３は、発送先リストを絵本レコメンドシステム２の記録部１２からダウンロードする（Ｓ１１３）。そして、Ｓ１１２で受領した納品物を封入して、Ｓ１１３で取得した発送先の利用者１へ発送する（Ｓ１１４）。
【００３３】
また、Ｓ１１０で各社への発注情報がメール等で送信されるが、取次会社・出版社３では、これを受信し発注・納品状況を管理する（Ｓ１１５）。
【００３４】
利用者１は、取次会社・出版社３から発送された絵本を受領する（Ｓ１１６）。これにより、子供の個性にあった絵本を読むことができる。また、利用者１から問い合わせが合った場合は（Ｓ１１７）、発送関連については取次会社・出版社３が対応し（Ｓ１１８）、サービス関連については事務局５が対応する（Ｓ１１９）。
【００３５】
また、利用者１はフィードバックとして、絵本レコメンドシステム２にインターネット等を介してアクセスして、ウェブサイト等から会員登録情報の修正や、アセスメントの再実施等を行うことが可能である（Ｓ１２０）。この情報は絵本レコメンドシステム２の記録部１２に記録され（Ｓ１２１）、個人情報、発送先情報、アセスメント情報等が修正され、Ｓ１１０で説明した次回以降の処理に反映される。これにより、個性に合わせた絵本の選択がより正確に可能になる。
【００３６】
また、Ｓ１２０では、毎月のアクティビティ実施状況・感想のアンケートを回収して、アクティビティ実施状況から個性アセスメント情報の紐づけにより対象の子供の脳力の伸びを測定する。そして、次回以降や次年度以降の絵本ラインナップ情報を自動的に生成することができる。例えば、ワークブックを送付して、このワークブックに複数のワークアイディアが記載されており、利用者１にお気に入りのワークを選択してもらいフィードバックを行う。そうすることで、お気に入りのワークにタグ付けされた項目がその子の脳力ポイントの測定に加算されるようにすることもできる。例えば、「押し花でハンカチを作ろう」がお気に入りのワークの場合には、「自然・博物学」の項目にポイントが加算され、「笹団子を作ろう」がお気に入りのワークの場合には、「身体・運動」の項目にポイントが加算される等である。
【００３７】
図２は、本発明の脳科学を用いた絵本レコメンドシステムにおける分類項目の一例を示す図である。
【００３８】
ここでは、脳科学を用いて分類した複数の項目の具体例について説明する。
図１のＳ１０１、Ｓ１０６、Ｓ１１０等で説明したように、脳科学を用いて複数の項目に分類を行い、これを用いて、推薦絵本の選定を行う。図２の例では、脳科学を用いて「言語」、「論理・数学」、「博物学」、「内省」、「対人」、「音楽」、「身体・運動」、「視覚・空間」の８つの項目に分類した例を示す。これは、脳科学の子供の８つの知性領域に基づいて分類したものである。
【００３９】
「言語」は、思考やコミュニケーション手段として、言葉を使いこなす力である。絵本の例としては、語彙を増やす絵本、言葉遊び、早口言葉の絵本等である。
【００４０】
「論理・数学」は、算数や数字を効果的に扱う力、演繹的に考える力である。絵本の例としては、数や数える絵本や、演繹的思考の絵本等である。
【００４１】
「博物学」は、探索、観察を通し、「なぜ」を追求する力、分類する力である。絵本の例としては、「自然・科学」テーマの絵本、分類する絵本等である。
【００４２】
「内省」は、内省力（自分を省みる力）、抽象概念（見えないもの）を捉える力である。絵本の例としては、抽象概念を言語化できる（「愛」等）絵本等である。
【００４３】
「対人」は、他者の存在を認識し、他者と良い関係を築く力である。絵本の例としては、多様性・他者理解につながる絵本（友だち、ＬＧＢＴ）等である。
【００４４】
「音楽」は、音程、リズムから相手の感情を読み取る力である。絵本の例としては、歌絵本等である。
【００４５】
「身体・運動」は、意思決定を着実に実行する力である。絵本の例としては、体を動かす絵本、「生活・食育」をテーマとする絵本等である。
【００４６】
「視覚・空間」は、平面から立体を構成する力、色彩を捉える力である。絵本の例としては、仕掛け絵本、探し絵の絵本等である。
【００４７】
このように、脳科学を用いた８つの分類を用いて、対象の絵本が各項目に該当するか否かのタグ付けを行っていく（図１のＳ１０１）。そして、これらの項目に対する対象の子供のポイントをアンケートにより算出する（図１のＳ１０６）。このことで、推薦絵本の選定（図１のＳ１１０）を的確に行うことができる。
【００４８】
図３は、本発明の脳科学を用いた絵本レコメンドシステムを用いた事業フローの一例を示す図である。図３では、事業フローの観点から絵本レコメンドシステム２について説明する。
【００４９】
まず、利用者１は、絵本レコメンドシステム２のサイト等に対してアクセスして、登録や入力を行う（Ｓ２０１）。これは上述した図１のＳ１０６に相当し、会員登録やアセスメントに必要な情報（アンケートへの回答等）を入力する。この情報は、絵本レコメンドシステム２の記録部１２に記録される。
【００５０】
次に、絵本レコメンドシステム２は、個性カルテと絵本年間レコメンドを利用者１に提示する（Ｓ２０２）。ここでは、絵本レコメンドシステム２の処理部１３（図１参照）により、Ｓ２０１で入力された情報に基づき、個性カルテと絵本年間レコメンドの情報を算出する。そして、利用者１のみがログインできるサイト等に個性カルテと絵本年間レコメンドの情報を表示させる。または、メール等で利用者１に送信してもよい。
【００５１】
個性カルテは、図１のＳ１０１でも説明した、脳科学を用いて分類された各項目に対して、利用者１の対象となる子供が項目毎にどの程度のポイントを備えているかを示す個性チャートを表示する。さらに、個性チャートの各項目のポイントに基づき、より伸ばしたい個性や未発掘の個性や育て方等も表示することができる。この個性カルテにより対象となる子供の個性や変化を定期的に把握することができる。また、絵本年間レコメンドは、各項目のポイントに基づき先の１年間、月ごと等に配送予定の推薦絵本の一覧を記載する。ここでの絵本は、記録部１１に記録されている絵本から選定される。なお、１年間の推薦絵本でなくても、半年や数年など、一定期間に配送可能な推薦絵本でもよい。また、月ごと配送でなくても、週ごと、月に２回や、二ヶ月や三ヶ月に一度ごと等でもよい。なお、個性カルテの具体例は、図４、５で後述する。
【００５２】
次に、利用者１は、個性カルテに基づく注文と支払いを行う（Ｓ２０３）。これは上述した図１のＳ１０８に相当する。ここでは、Ｓ２０２で絵本レコメンドシステム２から提示された個性カルテと絵本年間レコメンドを利用者１が検討する。そして、これらに基づく絵本を注文したい場合に絵本レコメンドシステム２に対してサイト等から注文を行い、必要な時期に支払いを行う。注文は月ごと等に配送される定期購読とすれば、絵本レコメンドシステム２に基づいた、様々な絵本が購読可能となる。例えば、月額料金が一定である２０００円の定期購読等とすることができる。
【００５３】
次に、絵本レコメンドシステム２から、該当の絵本を取次会社・出版社３に注文して取次料が支払われる（Ｓ２０４）。これは、絵本レコメンドシステム２の処理部１３（図１参照）により、自動で行うこともできる。次に、取次会社・出版社３から、利用者１へ絵本とガイドが発送される（Ｓ２０５）。これは上述した図１のＳ１１４に相当する。ここでのガイドは、例えば、個性カルテや該当絵本の紹介、ワークブック等を含む冊子などである。
【００５４】
また、利用者１は絵本レコメンドシステム２のサイトにアクセスする等して、フィードバックの情報を提供することができる（Ｓ２０６）。この情報は、絵本レコメンドシステム２の記録部１２に記録され、個人情報、発送先情報、アセスメント情報等が修正される。ここでの内容は、上述した図１のＳ１２０、Ｓ１２１に相当する。
【００５５】
図４は、本発明の脳科学を用いた絵本レコメンドシステムによる個性カルテの一例を示す図である。また、図５は、図４の個性カルテにおけるポイント表の拡大図である。
【００５６】
図４に示す個性カルテ５０は、名前５１、解説５２、ポイント表５３、チャート５４、個性の説明５５、年間推薦絵本一覧表５６を含む構成である。
【００５７】
名前５１は、利用者１における対象の子供の名前であり、個性カルテ５０の上部に記載されている。
【００５８】
解説５２は、その子の年齢等に応じて、その時期の特徴や育て方等が記載されている。解説５２は、名前５１の下に記載されている。
【００５９】
ポイント表５３は、図１のＳ１０１でも説明した、脳科学を用いて分類された各項目に対して、利用者１の対象となる子供の項目毎のポイントを記載する表である。ここでの例は、図２で示した８つの項目の例を使用した場合を示しており、解説５２の下に記載されている。図５で拡大して示しているように、項目の順番は、左からポイントが高い順に並べている。そして、半分で分けて、ポイントの高い側の４つの項目群Ａと、ポイントの低い側の４つの項目群Ｂに分類している。
【００６０】
チャート５４は、ポイント表５３で記載されている各項目のポイントをチャート図に示したものである。名前５１や解説５２の右横に記載されている。
【００６１】
個性の説明５５は、解析された各項目のポイントから、対象の子供の「より伸ばしたい個性」と「未発掘の伸ばしたい個性」について記載している。「より伸ばしたい個性」は、項目のポイント順位が上位２つ（図の例では「内省」「視覚・空間」）を記載する。また、「未発掘の伸ばしたい個性」は、項目のポイント順位が下位２つ（図の例では「音楽・リズム」「言語・語学」）を記載する。さらに、「より伸ばしたい個性」の項目に応じた育て方、及び、「未発掘の伸ばしたい個性」の項目に応じた育て方についての説明がある。これらの育て方の説明は、「より伸ばしたい個性」、「未発掘の伸ばしたい個性」の項目が何になるかに応じて、予め説明文を絵本レコメンドシステム２に記録しておく。このことで、絵本レコメンドシステム２の処理部１３の処理により、算出された「より伸ばしたい個性」、「未発掘の伸ばしたい個性」に該当する項目に応じて、その育て方を記載させることが可能である。
【００６２】
年間推薦絵本一覧表５６は、期間５６ａ、本の紹介５６ｂ、項目５６ｃの各欄を備えている。期間５６ａは、絵本のお届け月や特定の期間を記載する。本の紹介５６ｂは、届ける絵本の表紙やタイトル、作者名、出版社名、発行年等の絵本に関する情報を記載する。項目５６ｃは、上からポイントが高い順に項目を並べている。この場合、上から４つが項目群Ａに該当し、下４つが項目群Ｂに該当する。
【００６３】
期間５６ａで記載する特定の期間は、期間の種類によって、タグ付けされたその絵本を選ぶ手法を変えることができる。すなわち、絵本のタグ付け項目による選定方法を、対象の子供の各項目ポイントに応じて変更することができる。図４の例では、特定の期間について、「得意期」と「サークル期」に分ける。「得意期」では、ポイントの高い側の項目群Ａに該当するいずれかの項目のみにタグが付けられた本を提供する期間とする。このことで、対象の子供の得意な力に合わせた絵本を提供でき、得意な力に合わせた絵本を読むことで、絵本をより好きになるきっかけにすることができる。また、「サークル期」では、ポイントの高い側の項目群Ａのいずれかの項目、及び、ポイントの低い側の項目群Ｂのいずれかの項目、の両方に該当する項目にタグが付けられた本を提供する期間とする。このことで、対象の子供の得意な知性を活かし、未開拓な力にもアクセスする絵本を選定することができる。これらの選定は、絵本レコメンドシステム２の処理部１３の処理により行うことができる。
【００６４】
図６は、本発明の脳科学を用いた絵本レコメンドシステムによるサービスの利用が想定される対象者の例について示した図である。
【００６５】
図６に示されるように、絵本レコメンドシステム２のサービスを利用する利用者１のメインターゲットは、科学的根拠に基づく教育的感度が高く、かつ、時間な制約が大きい人となる。例えば、絵本の科学的教育効果・意図を求める人や、時間的制約のある核家族世帯（都市部）、子育て支援が少ない世帯等である。これは、絵本レコメンドシステム２により、子供の個性に応じて絵本を選択できるシステムを採用したことにより可能となる。
【００６６】
さらに、絵本レコメンドシステム２のサービスを利用する利用者１のサブターゲットは、科学的根拠に基づく教育的感度が高く、かつ、時間の制約が小さい人となる。例えば、教育資源（図書館・書店など）の乏しいエリア（地方）や保育園の先生（園のプログラムとして）である。
【００６７】
図７は、本発明の脳科学を用いた絵本レコメンドシステムによるモニター調査結果の一例を示した第１の図である。
【００６８】
図７（ａ）で円グラフに示すように、絵本レコメンドシステム２によるサービスでは、「友だちへの推奨意向」で「〈１〉大変そう思う」と「〈２〉そう思う」で約７５％の高い割合を示している。また、図７（ｂ）で円グラフに示すように、当該「サービスの満足度」では、「〈１〉大変満足した」と「〈２〉まあまあ満足した」で８４％の高い割合を示している。また、図７（ｃ）で円グラフに示すように、当該サービスの「継続利用意向」では、「〈１〉大変そう思う」と「〈２〉そう思う」で７０％に近い高い割合を示している。このように、絵本レコメンドシステム２のサービスによる高い顧客満足度を示している。
【００６９】
図８は、本発明の脳科学を用いた絵本レコメンドシステムによるモニター調査結果の一例を示した第２の図である。
【００７０】
図８（ａ）の棒グラフで示すように、「子どもの年齢の発達段階の知識がついた」については、「〈１〉大変そう思う」と「〈２〉そう思う」で５割以上の高い割合を示している。また、図８（ｂ）の棒グラフで示すように、「子どもの個性を脳科学的視点で知ることができ、子育ての視点が豊かになった」については、「〈１〉大変そう思う」と「〈２〉そう思う」で５割以上の高い割合を示している。また、図８（ｃ）の棒グラフで示すように、「絵本の読み聞かせ頻度が増えた」では、「〈１〉大変そう思う」と「〈２〉そう思う」が、「〈４〉そう思わない」と「〈５〉全くそう思わない」を明らかに上回っている。また、図８（ｄ）の棒グラフで示すように、「子どもの発達や脳科学的個性を理解することで、子どもの言動への不安やストレスが減った」では、「〈１〉大変そう思う」と「〈２〉そう思う」が、「〈４〉そう思わない」と「〈５〉全くそう思わない」を明らかに上回っている。また、図８（ｅ）の棒グラフで示すように、「ガイドブックのコンテンツを読んで、絵本の魅力に気付いた」については、「〈１〉大変そう思う」と「〈２〉そう思う」で５割以上の高い割合を示している。
【００７１】
また、自由記述欄の意見としては、「普段選ばないような絵本が届いたことで新たな楽しみを発見できました。」、「これまで漠然とこの方向が向いていると思っていたことが、改めて確認できたので、力をいれていくべきことが分かりよかったです。」、「ママに対して絵本との共通点を指摘されるようになった（「ママきらい」より）」、「今回の絵本が保育園でよく読む絵本であることを、今回子供から言われて初めて知り、保育園の絵本貸出サービスを使うようになりました。」、「えほんの魅力を再発見しました。」、「今回いただいた絵本以外の読み聞かせをする際も、ホップステップジャンプのような問いかけや活動を取り入れようとしたところ、本人の本の理解度が上がったようだ。」、「数か月はつづけないと1冊絵本を買うのと変わらないと思います」があがっていた。
【００７２】
このように図８の調査結果からも分かるように、絵本レコメンドシステム２のサービスを通じて、子育てへのポジティブなマインドチェンジ、絵本の価値への気づきなどの効果が見込めることが明らかになっている。
【００７３】
また、取次会社・出版社３にとっては、絵本レコメンドシステム２によるサービスの利用者１が増えれば、絵本の購買数が増えるため売上に貢献することができる。
【００７４】
さらに、絵本レコメンドシステム２を用いたサービスによる出版社の具体的なメリットについて説明する。まず、オンライン受付、絵本選書、個配送、感想フィードバックまでの一連のシステムにより、出版社（特に中小の出版社）が持ちえない機能を補てんすることができ、新たなシステム投資なしに、一気通貫のサービス提供が可能となる。さらに、絵本レコメンドシステムを用いたサービスにおいて年間契約をする場合に１２か月後までの絵本売り上げ見込み情報が取得可能となる。さらに、売上予定・見込みデータの活用により、さらなるマーケティング情報を精錬できる。これにより、再版時期調整・在庫ロス軽減・販売機会創出が可能となる。さらに、個性に応じてキュレーションするという新しい絵本の価値発信による、絵本市場全体の底上げが可能となる。さらに、書店への情報提供によるマーケティング支援により、生活者と本が出会う場を創出することが可能となる。さらに、個性と絵本のマップ化により、ニーズがあるのに該当する絵本が少ない場合等を明らかにでき、個性を生かした絵本の出版が可能になる。
【００７５】
以上の様に、本発明の実施形態について説明してきたが、本発明は上記の実施形態に限定されるものではなく、上述した以外の様々な変形例も含まれる。例えば、上記した実施形態に設けられた全ての構成を備えるものに限定されるものではない。また、ある実施形態の構成の一部を削除したり、他の構成に置き換えたりすることも可能である。 
【００７６】
例えば、本発明は、脳科学を用いた絵本レコメンドシステムとして、絵本に適用することを説明してきたが、これに限らず、一般の書籍のレコメンドシステムとして、絵本を書籍に変えて適用することも可能である。また子供だけでなく、例えば、大人にも８つの知性領域があるため、脳科学による分類項目は大人に適用して、書籍のレコメンドシステムを構成することができる。
【００７７】
また、書籍だけでなく、脳科学による分類項目を用いて、文具等の物品の選択や、教育やリハビリ等のサービスの選択にも本発明のシステムを適用することができる。
【符号の説明】
【００７８】
１      利用者
２      絵本レコメンドシステム
３      取次会社・出版社
４      印刷工場
５      事務局
６      パートナー
１１、１２、２１    記録部
１３    処理部
５０    個性カルテ
５１    名前
５２    解説
５３    ポイント表
５４    チャート
５５    個性の説明
５６    年間推薦絵本一覧表
【図１】
2019082810.tif 000003
【図２】
2019082810.tif 000004
【図３】
2019082810.tif 000005
【図４】
2019082810.tif 000006
【図５】
2019082810.tif 000007
【図６】
2019082810.tif 000008
【図７】
2019082810.tif 000009
【図８】
2019082810.tif 000010